(57)【要約】      （修正有）【課題】建物内に多重の防犯用障壁を構築することができ、居住者にまで危険が及ぶ事態を可及的に回避することができ、さらには建物内部に自然通風を起こすこともできる一般住宅に好適な建物防犯システムの提供。【解決手段】建物の外周面及び内部に設けられた複数の開口部と、複数の遮蔽体、複数のロック機構、複数の防犯センサ、部屋内の侵入者を居住者と識別して感知し感知信号を出力する複数の人感センサ、無線又は有線で接続され、遮蔽体の開閉及びロック機構動作を制御するコントローラと、を有する構成において、コントローラは、異常検出信号を出力した防犯センサと、感知信号を出力した人感センサの設置箇所と、遮蔽体選択情報、ロック機構選択情報及び避難経路選択情報とに基づいて、遮蔽体及びロック機構を制御するとともに、安全な避難経路を選択して誘導手段に報知させる避難経路選択手段と、を備える建物防犯システム。【選択図】図１
2006209241.tif 000002
【特許請求の範囲】
【請求項１】
建物の外周面及び内部に設けられた複数の開口部と、
前記複数の開口部にそれぞれ配置され該開口部をそれぞれ自動開閉可能な複数の遮蔽体と、
前記複数の遮蔽体を少なくとも閉止状態でそれぞれ自動ロック可能な複数のロック機構と、
少なくとも前記建物外周面の開口部周辺ないし該開口部に設けられた前記遮蔽体に発生した異常を検知して異常検知信号を出力する複数の防犯センサと、
前記建物内部の各部屋にそれぞれ取り付けられ、該部屋内の侵入者を居住者と識別して感知し感知信号を出力する複数の人感センサと、
前記複数の防犯センサ及び前記複数の人感センサと無線又は有線で接続され、前記異常検知信号及び前記感知信号と、記憶手段に記憶された遮蔽体選択情報及びロック機構選択情報及び避難経路選択情報に基づいて、前記複数の遮蔽体の開閉及び複数のロック機構のロック動作を制御するコントローラと、を有し、
前記コントローラは、
前記異常検出信号を出力した前記防犯センサと、前記感知信号を出力した前記人感センサを特定する特定手段と、
前記特定手段が特定した前記防犯センサ及び／又は前記人感センサの設置箇所と、前記遮蔽体選択情報、前記ロック機構選択情報及び前記避難経路選択情報とに基づいて、異常発生箇所以外に位置する前記遮蔽体及び当該遮蔽体をロック可能な前記ロック機構を少なくとも選択する選択手段と、
前記選択手段が選択した前記遮蔽体を開閉制御し、該選択手段が選択した前記ロック機構のロック動作を制御する制御手段と、
前記特定手段が特定した前記防犯センサ及び／又は前記人感センサの設置箇所と、前記避難経路選択情報とに基づいて、安全な避難経路を選択して誘導手段に報知させる避難経路選択手段と、を備える、ことを特徴とする建物防犯システム。
【請求項２】
前記建物の外周面に設けられた一の前記開口部及び／又はその周辺に異常が発生して、該開口部に設けられた前記防犯センサが前記異常検知信号を出力した場合、前記選択手段は、少なくとも当該一の前記開口部がある部屋の前記建物内部側に設けられた前記遮蔽体と、該遮蔽体をロック可能な前記ロック機構を選択することを特徴とする請求項１記載の建物防犯システム。
【請求項３】
前記建物の外周面に設けられた一の前記開口部及び／又はその周辺に異常が発生して、該開口部に設けられた前記防犯センサが前記異常検知信号を出力した場合、前記選択手段は、居住者が前記異常を回避でき且つ侵入予想経路を塞ぐよう他の前記開口部に設けられた全部又は一部の前記遮蔽体を選択し、該遮蔽体をロック可能な前記ロック機構を選択することを特徴とする請求項１記載の建物防犯システム。
【請求項４】
前記防犯センサは前記異常検出信号と共にＩＤコード信号を出力し、前記人感センサは前記感知信号と共にＩＤコード信号を出力し、前記特定手段は前記ＩＤコード信号に基づいて前記異常検出信号又は前記感知信号を出力した前記防犯センサ又は前記人感センサを特定することを特徴とする請求項１記載の建物防犯システム。
【請求項５】
さらに、無線又は有線で前記コントローラと接続され、前記建物の外部の風向きを検知して風向検知信号を出力する風向センサを有し、前記コントローラは、前記風向検知信号に基づいて、前記複数の遮蔽体の開閉を制御することにより、前記建物の内部に風を導入する、ことを特徴とする請求項１記載の建物防犯システム。
【請求項６】
さらに、無線又は有線で前記コントローラと接続され、前記建物及び／又は内部の環境条件を検知する環境センサを有し、前記コントローラは、前記環境センサが検知する環境条件に基づいて前記複数の遮蔽体の開閉を制御する、ことを特徴とする請求項１記載の建物防犯システム。
【請求項７】
さらに、雨滴センサを有し、前記コントローラは、降雨時、前記建物の外周面に設けられた開口部のうち所定の開口部に設けられた前記遮蔽体を閉鎖することを特徴とする建物防犯システム。
【請求項８】
建物の所定の場所にエアバッグ装置を設け、前記エアバッグ装置の起動に伴うエアバッグ膨張により、前記建物内への侵入者の更なる行動を抑制ないし阻止することを特徴とする建物防犯システム。
【発明の詳細な説明】
【技術分野】
【０００１】
本発明は、建物防犯システムに関し、特に、一般住宅用の住宅防犯システムに関する。
【背景技術】
【０００２】
近年、住宅における侵入犯罪が急増しており、その防護策としての防犯機器が多く商品化されている。例えば、建物の外周面に設けられた玄関や窓等の開口部に該開口部を閉止可能な遮蔽体を設けたり、窓ガラスへの攻撃を検知する防犯センサが取り付けられたりしている。一方では、環境保護の目的又は自然回帰の志向から、夜間の自然通風又は昼間のクーラーを使わない通風が望まれており、そのためには開口部を開放することも必要である。
【０００３】
特許文献１又は特許文献２には、建物開口部を遮蔽するシャッター、その駆動装置及びそのロック装置が提案されている。特許文献３には、建物開口部を遮蔽する引き違い式の障子、その駆動装置及びそのロック装置が提案されている。特許文献４には、開閉式の電動高窓及びその駆動装置が提案されている。
【０００４】
【特許文献１】特開２００３−３１４１７１号公報（図１及び図２、段落００２９）
【特許文献２】特開２００２−２６６５７６号公報（図１）
【特許文献３】特開平１１−３０３５０７号公報（図１及び図３）
【特許文献４】特開２０００−１７９２３１号公報（図２）
【発明の開示】
【発明が解決しようとする課題】
【０００５】
しかしながら、異常発生箇所にある開口部、すなわち、建物外周面にある一つの開口部を遮蔽しただけでは、防犯上十分でない場合がある。例えば、侵入者が、建物外周面にある一つの開口部を通じて既に建物内部に侵入しているとき、当該開口部を遮蔽しても防犯上有効ではなく、特に、建物内部に居住者が居る場合には、居住者に危険が生じるおそれがある。
【０００６】
また、建物内部の通風について考慮すると、建物外周面にある一つの開口部を開放しただけでは、建物内部に十分に風が導入されない場合もある。
【０００７】
本発明の目的は、多重の防犯用障壁を構築することができ、居住者にまで危険が及ぶ事態を可及的に回避することができる建物防犯システム、特に、一般住宅に好適な建物防犯システムを提供することである。本発明のさらなる目的は、建物内部に自然通風を起こすこともできる建物防犯システムを提供することである。
【課題を解決するための手段】
【０００８】
本発明は、第１の視点において、建物の外周面及び内部に設けられた複数の開口部と、前記複数の開口部にそれぞれ配置され該開口部をそれぞれ自動開閉可能な複数の遮蔽体と、前記複数の遮蔽体を少なくとも閉止状態でそれぞれ自動ロック可能な複数のロック機構と、少なくとも前記建物外周面の開口部周辺ないし該開口部に設けられた前記遮蔽体に発生した異常を検知して異常検知信号を出力する複数の防犯センサと、前記建物内部の各部屋にそれぞれ取り付けられ、該部屋内の侵入者を居住者と識別して感知し感知信号を出力する複数の人感センサと、前記複数の防犯センサ及び前記複数の人感センサと無線又は有線で接続され、前記異常検知信号及び前記感知信号と、記憶手段に記憶された遮蔽体選択情報及びロック機構選択情報及び避難経路選択情報に基づいて、前記複数の遮蔽体の開閉及び複数のロック機構のロック動作を制御するコントローラと、を有し、前記コントローラは、前記異常検出信号を出力した前記防犯センサと、前記感知信号を出力した前記人感センサを特定する特定手段と、前記特定手段が特定した前記防犯センサ及び／又は前記人感センサの設置箇所と、前記遮蔽体選択情報、前記ロック機構選択情報及び前記避難経路選択情報とに基づいて、異常発生箇所以外に位置する前記遮蔽体及び当該遮蔽体をロック可能な前記ロック機構を少なくとも選択する選択手段と、前記選択手段が選択した前記遮蔽体を開閉制御し、該選択手段が選択した前記ロック機構のロック動作を制御する制御手段と、前記特定手段が特定した前記防犯センサ及び／又は前記人感センサの設置箇所と、前記避難経路選択情報とに基づいて、安全な避難経路を選択して誘導手段に報知させる避難経路選択手段と、を備える、ことを特徴とする建物防犯システムを提供する。
【０００９】
本発明は、第２の視点において、建物の所定の場所にエアバッグ装置を設け、前記エアバッグ装置の起動に伴うエアバッグ膨張により、前記建物内への侵入者の更なる行動を抑制ないし阻止することを特徴とする建物防犯システムを提供する。
【発明の効果】
【００１０】
本発明の第１の視点に係る建物防犯システムによれば、例えば、建物外周面の開口部に設けられた遮蔽体（外部遮蔽体）ないしその付近に、侵入又は破壊等の異常が発生した際、当該遮蔽体付近に設置された防犯センサが異常を検知して異常検知信号を出力し、コントローラはこの異常検知信号に基づいて異常発生箇所を知り、例えば、侵入者のさらなる侵入を阻止するよう、或いは居住者が侵入者と遇わないよう、異常発生箇所以外の遮蔽体、例えば、建物内部の遮蔽体を少なくとも選択し、選択した遮蔽体を閉鎖及びロックし、或いは選択した遮蔽体をロック解除し開放する。これによって、侵入者が、建物外周面の開口部を通じて、既に建物内部に侵入している場合であっても、例えば、内部遮蔽体によって、さらなる侵入を阻止又は遅延させることができ、さらに、避難経路選択情報及び誘導手段によって居住者を建物外へ安全に脱出させることができる。このようにして、建物内に多重の防犯用障壁が確立され、居住者に対する高度な安全性が保証される。
【００１１】
異常検知時に開閉及びロック制御する遮蔽体及びロック機構は、異常を検知した防犯センサの設置箇所に応じて、詳細には、コントローラが特定した防犯センサの設置箇所、及び、予め設定されている、防犯センサの設置箇所と侵入者の予想侵入経路ないし居住者の最適な避難経路との対応関係に基づいて選択される。さらに、この対応関係に基づいて、避難経路選択手段は、避難経路を選択し誘導手段に表示させる。制御手段及び避難経路選択手段は、このような対応関係が記録された記憶手段にアクセスすることができる。
【００１２】
また、本発明の建物防犯システムは、同時に複数の遮蔽体の開閉を制御することができるため、建物内部に自然通風を発生させるシステムとしても有用である。
【００１３】
本発明の第２の視点に係る建物防犯システムによれば、侵入者を怯ませて居住者の安全を図ることができ、また、前記第１の視点に係るシステム等と組合わせて建物に多重の防犯用障壁を構築することができる。
【発明を実施するための最良の形態】
【００１４】
本発明の好ましい実施の形態においては、前記建物の外周面に設けられた一の前記開口部及び／又はその周辺に異常が発生して、該開口部に設けられた前記防犯センサが前記異常検知信号を出力した場合、前記選択手段は、少なくとも当該一の前記開口部がある部屋の前記建物内部側に設けられた前記遮蔽体と、該遮蔽体をロック可能な前記ロック機構を選択する。
【００１５】
本発明の好ましい実施の形態においては、前記建物の外周面に設けられた一の前記開口部及び／又はその周辺に異常が発生して、該開口部に設けられた前記防犯センサが前記異常検知信号を出力した場合、前記選択手段は、居住者が前記異常を回避でき且つ侵入予想経路を塞ぐよう他の前記開口部に設けられた全部又は一部の前記遮蔽体を選択し、該遮蔽体をロック可能な前記ロック機構を選択する。
【００１６】
本発明の好ましい実施の形態においては、前記防犯センサは前記異常検出信号と共にＩＤコード信号を出力し、前記人感センサは前記感知信号と共にＩＤコード信号を出力し、前記特定手段は前記ＩＤコード信号に基づいて前記異常検出信号又は前記感知信号を出力した前記防犯センサ又は前記人感センサを特定する。
【００１７】
本発明の好ましい実施の形態においては、さらに、無線又は有線で前記コントローラと接続され、前記建物の外部の風向きを検知して風向検知信号を出力する風向センサを有し、前記コントローラは、前記風向検知信号に基づいて、前記複数の遮蔽体の開閉を制御することにより、前記建物の内部に風を導入する。
【００１８】
本発明の好ましい実施の形態においては、さらに、無線又は有線で前記コントローラと接続され、前記建物及び／又は内部の環境条件を検知する環境センサを有し、前記コントローラは、前記環境センサが検知する環境条件に基づいて前記複数の遮蔽体の開閉を制御する。
【００１９】
本発明の好ましい実施の形態においては、さらに、雨滴センサを有し、前記コントローラは、降雨時、前記建物の外周面に設けられた開口部のうち所定の開口部に設けられた前記遮蔽体を閉鎖する。
【００２０】
本発明の好ましい実施の形態においては、建物の外周面開口部に、開閉を遠隔又は自動制御可能な遮蔽体、例えば、障子、ドア、シャッターなどが設けられ、遮蔽体にはロック動作を遠隔又は自動制御可能なロック機構が配設される。
【００２１】
本発明の好ましい実施の形態においては、建物内部の各部屋の出入口に、開閉を遠隔又は自動制御可能な遮蔽体、例えば、ドアなどが設けられ、ドアにはロック動作を遠隔又は自動制御可能なロック機構が配設される。
【００２２】
本発明による建物防犯システムにおいては、特許文献１〜４に開示されているような、シャッター、その駆動装置及びそのロック装置、引き違い式の障子、その駆動装置及びそのロック装置、並びに開閉式の電動高窓及びその駆動装置などを好適に採用することができる。
【００２３】
本発明の好ましい実施の形態においては、建物内部の開口部の遮蔽体として、回動式のドアが採用され、このドアの駆動手段として油圧シリンダ、電動シリンダ、ばね機構を備える装置等を用いることができ、ロック機構として、油圧、電力、ばね力などを利用した種々の自動施錠装置を用いることができる。
【００２４】
本発明の好ましい実施の形態において、建物の外周面開口部には防犯センサとして、遮蔽体の破壊又は該開口部を通じた侵入を検知できるセンサが各々取り付けられており、各センサにはＩＤコードが付与されている。防犯センサとして、例えば、接近センサ（ドップラーセンサなど）、電気伝導、歪又は衝撃を検知する破壊検知センサ等を適宜採用することができる。
【００２５】
本発明の好ましい実施の形態において、建物内部の各部屋には、人感センサとして、侵入者を居住者と識別して感知できるセンサが各々取り付けられており、各センサにはＩＤコードが付与されている。人感センサは、例えば、撮像機能と画像処理による人の識別機能を有し、或いは、居住者が所持する無線タグに記録された居住者ＩＤ信号の読取機能を有し、居住者と侵入者を識別して居住者の現在地を示す信号を前記コントローラに出力し、前記選択手段は、さらに前記信号に基づいて遮蔽体の選択を行う。
【００２６】
本発明の好ましい実施の形態において、遮蔽体及びロック機構を制御するコントローラは、分散して互いに通信可能（連携可能）に複数設置され、或いは、集中して単独設置されてもよい。
【００２７】
特定手段、選択手段及び制御手段は、所定のプログラミングを実行するコンピュータ上に構成することができ、或いは、ハードウェアから構成することもできる。
【００２８】
本発明の好ましい実施の形態において、建物の外周面開口部の一箇所から侵入があった場合には、他の開口部の遮蔽体のうち全部又は一部の遮蔽体を閉めロックする。
【００２９】
本発明の好ましい実施の形態においては、居住者に、侵入者から最も安全に逃げられる避難経路を知らせる。
【００３０】
本発明の好ましい実施の形態においては、侵入経路上の開口部が遮蔽体により塞がれると同時に、避難経路上の開口部を閉鎖している遮蔽体が開放され、特に、ロックされている場合には開放前にロック解除がなされる。
【００３１】
本発明の好ましい実施の形態においては、環境センサとして、建物の各部屋には温度、湿度センサ、建物外部には風向きセンサ、風速センサ、温度、湿度センサが取付けられており、室内にいる居住者の好みに応じて最も風通しがよくなるように、遮蔽体が開閉制御される。
【実施例１】
【００３２】
以下、図面を参照して、本発明の一実施例を説明する。
【００３３】
図１は、本発明の第１の実施例に係る建物防犯システムの構成を説明するためのブロック図である。
【００３４】
本発明の建物防犯システムが適用される建物（一般住宅）は、建物外周面及び建物内部に、窓、玄関、バルコニー、各部屋の出入口等からなる複数の開口部が設けられている。
【００３５】
複数の開口部のうち、複数の所定の開口部には、該開口部をそれぞれ自動開閉可能な複数の遮蔽体４ａ，…，４ｚと、該遮蔽体を少なくとも閉止状態でそれぞれ自動ロック可能な複数のロック機構５ａ，…，５ｚとが設けられている。
【００３６】
建物の外周面開口部には、遮蔽体の破壊又は該開口部を通じた侵入を検知して異常検知信号を出力する防犯センサ１ａ，…，１ｚが各々取り付けられており、各センサにはＩＤコードがそれぞれ付与されている。
【００３７】
建物内部の各部屋には、部屋に入った侵入者を居住者と識別して感知し感知信号を出力する人感センサ２ａ，…，２ｚが各々取り付けられており、各センサにはＩＤコードがそれぞれ付与されている。
【００３８】
防犯センサ１ａ，…，１ｚ及び人感センサ２ａ，…，２ｚは、コントローラ３と無線又は有線で接続されている。コントローラ３、少なくとも異常検知信号、或いは異常検知信号及び感知信号に基づいて、複数の遮蔽体４ａ，…，４ｚの開閉及び複数のロック機構５ａ，…，５ｚのロック動作を制御する。
【００３９】
コントローラ３は、異常検知時、異常検出信号を出力した防犯センサ１ａ，…，１ｚ、及び感知信号を出力した人感センサ２ａ，…，２ｚをそれぞれＩＤ信号に基づいて特定する特定手段３ａと、異常検知時、特定手段３ａが特定した防犯センサ１ａ，…，１ｚ及び
人感センサ２ａ，…，２ｚの設置箇所と、予め設定されている情報、すなわち、記憶手段１０に記憶された遮蔽体選択情報及びロック機構選択情報及び避難経路選択情報と、に基づいて、異常発生箇所以外に位置する遮蔽体４ａ，…，４ｚ及びそれをロック可能なロック機構５ａ，…，５ｚを少なくとも選択する選択手段３ｂと、異常検知時、選択手段３ｂが選択した遮蔽体４ａ，…，４ｚを開閉制御し、選択手段３ｂが選択したロック機構５ａ，…，５ｚのロック動作を制御する制御手段と、を備える。
【００４０】
特定手段３ａ、選択手段３ｂ及び制御手段３ｃは、所定のプログラミングを実行するコンピュータ上に構成される。特定手段３ａは、異常検知信号、感知信号及びＩＤ信号を受信部を備え、さらに、異常等を検知したセンサを特定する。選択手段３ｂは、特定手段３ａが特定したセンサの設置箇所に基づいて、設置箇所（異常発生箇所ないし居住者・侵入者位置）と、安全が確保できる居住者避難経路及び予想される侵入者侵入経路との関係を示すテーブルを記憶する記憶手段１０を参照し、遮蔽体４ａ，…，４ｚ及びロック機構５ａ，…，５ｚの中から開閉する遮蔽体とロック又はロック解除するロック機構を選択する。制御手段３ｃは、選択された遮蔽体とロック機構をそれぞれ駆動する不図示の駆動機構に所定の制御信号を出力する出力部を備え、遮蔽体開閉とロック又はロック解除をさせる。
【００４１】
さらに、コントローラ３は、特定手段３ａが特定した防犯センサ１ａ，…，１ｚ及び／又は人感センサ２ａ，…，２ｚの設置箇所に基づいて、安全な避難経路を選択する避難経路選択手段３ｄを備える。建物の壁、床等には、避難経路選択手段３ｄにより選択された避難経路を居住者に報知する誘導手段９、例えば、表示盤、音声案内器などが複数設けられる。避難経路選択手段３ｄも、所定のプログラミングを実行するコンピュータ上に構成される。
【００４２】
図２は、図１に示した本発明の第１の実施例に係る建物防犯システムの動作を説明するための建物一階平面図、図３は、同建物二階平面図である。なお、図２及び図３においては、遮蔽体の駆動機構及びロック機構、並びに、以下の説明に関係しない遮蔽体、ロック機構、防犯センサ及び人感センサについては、詳細な図示を省略している。
【００４３】
図３を参照すると、二階主寝室の建物外周面に設けられた開口部、特に、バルコニーの遮蔽体（窓）４ａから侵入があった場合、この遮蔽体４ａ付近に設置された防犯センサ１ａは侵入又は窓の破壊を検知して異常検知信号とＩＤ信号を出力する。
【００４４】
図２を参照すると、一方、建物一階のダイニングにある人感センサ２ｃは居住者がダイニングにいることを感知して感知信号を出力している。
【００４５】
図１を参照すると、特定手段３ａは、異常検知信号とＩＤ信号から異常発生箇所が主寝室であること、感知信号とＩＤ信号から居住者がダイニングにいることを特定してそれらを選択手段３ｂに指示する。
【００４６】
図１〜図３を参照すると、選択手段３ｂは、指示された情報に基づいて予め記憶されているテーブルを参照して、さらなる侵入を阻止するために閉鎖する遮蔽体４ｂ及びそれに付設されたロック機構５ｂと（図３の２階（２Ｆ）参照）、居住者を安全に避難させるため開放するダイニングの遮蔽体４ｃ及びそれに付設されたロック機構５ｃと、居住者を安全に避難させるため開放する玄関の遮蔽体（玄関ドア）４ｄ及びそれに付設されたロック機構５ｄと（図２の１階（１Ｆ）参照）を選択してそれらの開放・閉鎖とロック・ロック解除を制御手段３ｃに指示する。
【００４７】
制御手段３ｃは、選択手段３ｂの指示に基づき、不図示の駆動機構を介して主寝室の遮蔽体４ｂを閉鎖して、ロック機構５ｂによりロックさせ、ダイニングの遮蔽体４ｃをロック機構５ｃによりロック解除して不図示の駆動機構を介して開放させ、玄関の遮蔽体（玄関ドア）４ｄをロック機構５ｄによりロック解除して不図示の駆動機構により開放させる。
【００４８】
このようにして、侵入者を建物内部のある部屋に閉じ込め、別の部屋にいる居住者を安全に避難させることができる。さらに、上述の避難経路選択手段３ｄと誘導手段９を設けることにより、より安全に居住者を避難させることができる。例えば、居住者の居る階において、玄関ホールと玄関の床面に、図２に示すように矢印（誘導手段９）を表示する。
【実施例２】
【００４９】
次に、自然通風による通気システムを備えた、本発明の第２の実施例に係る建物防犯システムを説明する。
【００５０】
図４は、本発明の第２の実施例に係る建物防犯システムの構成を説明するためのブロック図である。
【００５１】
以下、図４に示したシステムと、図１に示したシステムの相違点について主として説明し、両システムが同様の構成を有する点については、前記実施例を適宜参照することができるものとする。
【００５２】
図４を参照すると、本発明の第２の実施例に係る建物防犯システムは、さらに、無線又は有線でコントローラ３とそれぞれ接続され、建物外部の風向きを検知して風向検知信号を出力する風向センサ６と、建物及び／又は内部の環境条件を検知する環境センサ７と、建物外部に設けられた雨滴センサ８と、を有している。
【００５３】
コントローラ３は、風向検知信号に基づいて所定の遮蔽体４ａ，…，４ｚを選択する通気遮蔽体選択手段３ｅを備え、制御手段３ｃが選択された複数の遮蔽体４ａ，…，４ｚの開閉を制御することにより、建物内部に自然の風を導入することができる。
【００５４】
コントローラ３は、さらに、風向検知信号、環境センサが検知する環境条件、雨滴センサの出力信号に基づいて、所定の複数の遮蔽体４ａ，…，４ｚの開閉を制御し、さらにはそれらに付設されたロック機構５ａ，…，５ｚのロック動作を制御することができる。
【００５５】
図５は、図４に示した本発明の第２の実施例に係る建物防犯システムの動作を説明するための建物一階平面図である。なお、図５においては、遮蔽体の駆動機構及びロック機構、並びに、以下の説明に関係しない遮蔽体、ロック機構、防犯センサ及び人感センサについては、詳細な図示を省略している。
【００５６】
図４及び図５を参照すると、例えば、風向センサ６が北向きの風を検知すると、コントローラ３は、リビングの南向きの遮蔽体４ｅ，４ｅ、同北向きの遮蔽体４ｆ，４ｆを開放するため、それらに付設されたロック機構５ｅ，５ｅ、５ｆ，５ｆによるロックを解除し、さらに、不図示の駆動機構を介して、遮蔽体４ｅ，４ｅ，４ｆ，４ｆを開放して、建物内部（リビング）に自然通風を発生させる。
【実施例３】
【００５７】
エアバッグを用いた本発明の第３の実施例に係る建物防犯システムについて説明する。図６は、本発明の第３の実施例に係るエアバッグを用いた建物防犯システムの説明図である。
【００５８】
図３に示したように階上（２Ｆ）から侵入がなされ、図２に示したように居住者が階下（１Ｆ）に居る場合とは逆に、階上に居住者が就寝中に階下から侵入者が侵入した場合は、図６を参照して、一対のエアバッグ装置５０，５０を起動させて、膨張されたエアバック５１，５１で階段を閉塞させ、これにより侵入者が階上に至るのを防止して居住者の安全を図ることができる。この場合、エアバック５１，５１は萎まないように設定される。
【実施例４】
【００５９】
エアバッグを用いた本発明の第４の実施例に係る建物防犯システムについて説明する。図７は、本発明の第４の実施例に係るエアバッグを用いた建物防犯システムの説明図である。
【００６０】
図２に示したバルコニー（ベランダ）への侵入の場合は、図７を参照して、ベランダ天井に設置されたエアバッグ装置６０を起動させて膨張されたエアバッグ装置６１をして侵入者を怯ませ、家屋内への侵入を断念させてもよい。しかして、侵入者を怯ませるためのエアバッグ膨張は、いずれの場所からなされてもよく、例えば、侵入者の顔面に向けてなされてもよい。
【００６１】
第３又は第４の実施例のように、エアバッグ装置を用いて侵入者は怯ませる考えは、一般家庭のみならず他の施設においても適用できるものである。例えば、金融機関のカウンターにエアバッグ装置を内蔵しておき、強盗が窓口係員を脅迫した場合、エアバッグを膨張せしめて強盗に一撃を食わせることも可能である。なお、エアバッグ装置は、侵入を検知する防犯センサ等に連動させて起動させることができる。
【産業上の利用可能性】
【００６２】
本発明は、一般住宅用の建物防犯システム、さらには自動通風機能を備えた一般住宅用の建物防犯システムとして好適に採用される。
【図面の簡単な説明】
【００６３】
【図１】本発明の第１の実施例に係る建物防犯システムのブロック図である。
【図２】図１に示したシステムの動作を説明するための建物一階平面図である。
【図３】図１に示したシステムの動作を説明するための建物二階平面図である。
【図４】本発明の第２の実施例に係る建物防犯システムのブロック図である。
【図５】図４に示したシステムの動作を説明するための建物一階平面図である。
【図６】本発明の第３の実施例に係るエアバッグを用いた建物防犯システムの説明図である。
【図７】本発明の第４の実施例に係るエアバッグを用いた建物防犯システムの説明図である。
【符号の説明】
【００６４】
１ａ，…，１ｚ  防犯センサ
２ａ，…，２ｚ  人感センサ
３  コントローラ
３ａ  特定手段
３ｂ  選択手段
３ｃ  制御手段
３ｄ  避難経路選択手段
３ｅ  通気遮蔽体選択手段
４ａ，…，４ｚ  遮蔽体
５ａ，…，５ｚ  ロック機構
６  風向センサ
７  環境センサ
８  雨滴センサ
９  誘導手段
１０  記憶手段
５０、６０  エアバッグ装置
５１、６１  エアバッグ
【図１】
2006209241.tif 000003
【図２】
2006209241.tif 000004
【図３】
2006209241.tif 000005
【図４】
2006209241.tif 000006
【図５】
2006209241.tif 000007
【図６】
2006209241.tif 000008
【図７】
2006209241.tif 000009